(57)【要約】  再封止可能な可撓性の小袋(10、50)は、ノズル部分(14)が折り畳まれた構成にあるときに流出路(15)を狭窄するように折り畳み線(41、52、110)を基準に折り畳み可能であるノズル部分(14)を有し、ノズル部分(14)は、対応するスロット開口(23A、23B、53)に対して横断方向に延びる耳(20A、20B、51)を有し、ノズル部分(14)が折り畳まれた構成にあるときに、耳(20A、20B、51)をスロット開口(23A、23B、53)に受け入れてノズル部分(14)を固定する。【特許請求の範囲】
【請求項１】
再封止可能な容器であって、
流体内容物のためのリザーバ部分と、可撓性材料から作製されたノズル部分とを備え、
前記ノズル部分は、前記リザーバ部分から下流へ流れ方向に流体内容物が流れることができる流体内容物のための流出路と、該流出路の下流端部に位置する出口オリフィスとを有し、前記ノズル部分は、折り畳み線を基準に前記リザーバへ向けて折り畳み可能であり、それによって、前記ノズル部分が折り畳まれた構成にあるときに、前記ノズル部分に前記流出路を狭窄する折り畳み部を形成し、
前記ノズル部分は、前記ノズル部分から前記流れ方向に対して横断方向に延びる少なくとも一つの耳を備え、前記容器は、少なくとも一つの対応するスロット開口を備え、前記ノズル部分が前記折り畳まれた構成にあるときに、前記スロット開口へ前記耳を受け入れることで、前記ノズル部分を前記折り畳まれた構成で保持することができる、再封止可能な容器。
【請求項２】
前記容器は、可撓性材料によって製作された小袋容器である、請求項1に記載の再封止可能な容器。
【請求項３】
前記ノズル部分は、前記流れ方向に延びる細長い管の形態であり、前記ノズル部分に沿って前記流体内容物が下流へ流れることができる、請求項1又は2に記載の再封止可能な容器。
【請求項４】
前記ノズル部分は、前記流れ方向を横断するように配された折り畳み線を基準に前記リザーバへ向けて折り畳むことができる、請求項3に記載の再封止可能な容器。
【請求項５】
前記スロット開口への前記耳の受け入れは、前記ノズル部分を前記折り畳まれた構成で保持するのを助けるために行われる、請求項1から4のいずれか一項に記載の再封止可能な容器。
【請求項６】
前記耳は、前記ノズル部分の縁部から前記流れ方向に対して略垂直な方向に延出するとともに、前記スロット開口のより下流方向に位置することで、前記耳と前記スロット開口との間に位置し前記流れ方向を横断する折り畳み線を基準に前記ノズル部分を折り畳むことができる、請求項1から5のいずれか一項に記載の再封止可能な容器。
【請求項７】
二つの耳及び二つの対応するスロットが設けられ、それぞれの前記耳及び前記スロットは、前記ノズル部分から逆方向に延び、前記流れ方向に沿う長手方向線をまたいで対称に互いに対向する、請求項6に記載の再封止可能な容器。
【請求項８】
前記耳は、前記ノズル部分の縁部から前記流れ方向を横断する方向に延出し、該耳は、前記流れ方向に対して略平行な折り畳み線を基準に前記ノズル部分を横切って折り畳み可能であり、
前記スロット開口は、前記流れ方向を横切って前記耳の反対側に位置することで、前記耳が前記折り畳まれた構成にあるとき、前記耳を前記スロット開口によって受け入れることができ、
前記ノズル部分は、前記下流方向を横断する折り畳み線を基準に折り畳むことができ、かつ前記耳及び前記スロット開口の下流に位置し、
前記ノズル部分が前記小袋上へ折り畳まれた状態で、前記耳が前記ノズル部分の前記折り畳まれた部分の上に折り畳まれて前記スロット開口に通されることで、前記ネック部分を前記折り畳まれた構成で保持する、請求項1から5のいずれか一項に記載の再封止可能な容器。
【請求項９】
前記耳は、前記流れ方向を横断する方向に延びる方向において先細りする、請求項1から8のいずれか一項に記載の再封止可能な容器。
【請求項１０】
前記耳の少なくとも一つの縁部が凹形の形状である、請求項1から9のいずれか一項に記載の再封止可能な容器。
【請求項１１】
前記ノズル部分は、前記耳を越えて前記下流方向に十分に長いことにより、前記ノズル部分が第1の折り畳み線を基準に前記リザーバへ向けて折り畳み可能になっており、それによって、前記ノズル部分が前記折り畳まれた構成にあるときに、前記ノズル部分に前記流出路を狭窄する前記折り畳み部を形成するとともに、前記ノズル部分が前記第1の折り畳み部と前記出口オリフィスとの間に第2の折り畳み部を形成するように折り畳み可能になっており、前記第2の折り畳み部は、前記第1の折り畳み部と前記出口オリフィスとの間で前記流出路をさらに狭窄することができる、請求項1から10のいずれか一項に記載の再封止可能な容器。
【請求項１２】
前記ノズル部分が十分に長いことで、前記第2の折り畳み部が設けられたときに、前記ノズル部分のうち前記第2の折り畳み部と前記出口オリフィスとの間の部分を、前記ノズル部分のうち前記第2の折り畳み部と前記第1の折り畳み部との間の部分の下へ折り込む込むことができる、請求項11に記載の再封止可能な容器。
【請求項１３】
ネック部分が第1の折り畳み部で前記リザーバへ向けて折り畳まれた前記容器の閉じた構成において、前記ネック部分は、前記第1の折り畳みと前記出口オリフィスとの間の善意第2の折り畳み部でも折り畳まれる、請求項12に記載の再封止可能な容器。
【請求項１４】
前記ネック部分のうち前記第2の折り畳み部と前記出口オリフィスとの間の部分が、前記ネック部分のうち前記第1の折り畳み部と前記第2の折り畳み部との間の部分の下へ折り込まれる、請求項13に記載の再封止可能な容器。
【請求項１５】
前記ネック部分のうち前記第2の折り畳み部と前記出口オリフィスとの間の部分の長さは、該部分を確実に折り込むのに十分な長さである、請求項11から14のいずれか一項に記載の再封止可能な容器。
【請求項１６】
前記ノズル部分は、前記耳と前記スロットとの間の第1の折り目と、前記第1の折り目と前記出口オリフィスとの間の第2の折り目とを含む、請求項11から15のいずれか一項に記載の再封止可能な容器。
【請求項１７】
前記ノズル部分の前記長さ及び前記耳の位置は、前記ノズル部分が折り込まれた位置にあり、前記耳が前記スロットによって受け入れられたときに、前記耳が前記ノズルの前記出口オリフィスに隣接するようなものとすることができる、請求項11から16のいずれか一項に記載の再封止可能な容器。
【発明の詳細な説明】
【技術分野】
【０００１】
本発明は、再封止可能な容器に関し、詳細には再封止可能な小袋（sachets：サシェ）に関する。
【背景技術】
【０００２】
小袋は、薬用のクリーム及び軟膏などの流体物質を提供するために使用されることが多い。一般に、小袋は、典型的には外周の周りで二つの材料シートを一体に接合することによって形成される可撓性材料の包装材を含み、この包装材は、流体物質の内容物を収容する容積部を有するリザーバを画定する。典型的な可撓性材料は、金属箔及び金属箔-プラスチック材料の積層体である。
【０００３】
小袋は、内容物を分注するために、様々な方法で開くことができる。たとえば、小袋の一部分を切断し、又は切り離して、出口オリフィスを提供することができる。一部の小袋は切り離し用の閉鎖部分を備えており、この部分を切り離して出口オリフィスを開くことができる。一部の小袋は、内部に流出路を有する細長い出口ノズルとともに構築され、出口オリフィスは、流出路の下流端部に位置する。典型的には、出口オリフィスが開かれているとき、小袋を絞ってその内容物を押し出すことによって、流体内容物が分注される。
【０００４】
小袋に伴う問題は、使用後、たとえば流体内容物の一部を分注してから、その後に内容物を追加して分注する目的で、小袋を再封止する必要があることである。そのような再封止は、内容物の漏れ及び/又は内容物の汚染を防止するのに役立つことができる。この問題に対する多くの解決策が知られている。たとえば米国特許第3,278,085号は、包装材の上に出口ノズルを折り返すことができ、ノズルを保持するために折り込み式のフラップを備える小袋を開示している。米国特許第5,228,782号は、包装材を横切ってノズルを折り畳んで包装材に形成されたスロットに通すことができる小袋を開示している。そのような小袋に伴う問題は、故意でない開放及びその結果生じる流体内容物の漏れを防ぐように折り畳まれたノズルを固定することである。仏国特許出願公開第1,016,042号は、包装材の上に出口ノズルを折り返すことができ、この折り畳み部によって流出路を閉じ、折り畳まれた構成でノズルを保持するループを有する小袋を開示している。そのようなループは、二つの部分、すなわち包装材及びループから製造することを要する不都合がある。米国特許出願公開第2008/0056623号は、可撓性の壁で囲まれた容器を開示している。この容器は、単一の折り畳み部で出口ノズルを折り畳んで出口ノズルを閉じることができる。出口ノズルは、折り畳まれて閉じた状態で容器上のスリット内に嵌合して出口ノズルを固定することができる耳を備える。
【先行技術文献】
【特許文献】
【０００５】
【特許文献１】米国特許第3,278,085号明細書
【特許文献２】米国特許第5,228,782号明細書
【特許文献３】仏国特許出願公開第1,016,042号明細書
【特許文献４】米国特許出願公開第2008/0056623号明細書
【発明の概要】
【発明が解決しようとする課題】
【０００６】
本発明の目的は、再封止可能であり、使用後のより確実な再封止及び閉じた状態での改善された衛生状態を提供する容器、特に小袋を提供することである。
【課題を解決するための手段】
【０００７】
本発明によれば、再封止可能な容器であって、流体内容物のためのリザーバ部分と、可撓性材料から作製されたノズル部分とを備え、前記ノズル部分は、リザーバ部分から下流へ流れ方向に流体内容物が流れることができる流体内容物のための流出路と、該流出路の下流端部に位置する出口オリフィスとを有し、前記ノズル部分は、折り畳み線を基準にリザーバへ向けて折り畳み可能であり、それによって前記ノズル部分が折り畳まれた構成にあるときに、前記ノズル部分に前記流出路を狭窄する折り畳み部を形成し、前記ノズル部分は、該ノズル部分から前記流れ方向を横断する方向に延びる少なくとも一つの耳を備え、前記容器は、少なくとも一つの対応するスロット開口を備え、前記ノズル部分が折り畳まれた構成にあるとき、前記スロット開口内へ前記耳を受け入れることで、前記ノズル部分を折り畳まれた構成で保持することができる、再封止可能な容器が提供される。
【０００８】
前記容器は、可撓性材料によって製作された小袋容器であることが適当である。
【０００９】
そのような小袋容器は、小袋の分野で従来の材料、たとえば前述の金属箔又はプラスチック-金属箔の積層体から作製することができる。小袋は、他の従来の構成、すなわち、小袋の周縁部において、たとえば溶接又は接着による継ぎ目で一体に接合されたシート状の可撓性材料からなる二つのシートを備え、該シートがそのように一体に接合されずにリザーバの容積部及び流出路を画定する領域を有する構成であってもよい。
【００１０】
前記ノズル部分は、前記流れ方向に延びる細長い管の形態であり、前記ノズル部分に沿って前記流体内容物が下流へ流れることができることが適当である。前記流出路の前記出口オリフィスは、内容物の分注前には、閉鎖部、たとえば従来の切り離し用の閉鎖部分によって閉じられていることが適当である。
【００１１】
好ましくは、前記ノズル部分は、前記流れ方向を横断するように、好ましくは、前記流れ方向に垂直に配された折り畳み線を基準に前記リザーバの方へ折り畳むことができる。そのような構成は、前記ノズルを前記リザーバ部分上へ平坦に折り畳むことができるため、コンパクトな小袋を提供することができる。
【００１２】
前記スロット開口への前記耳の受け入れは、前記ノズル部分を折り畳まれた構成で保持するのを助けるために行われ、前記ノズルにおける前記折り畳み部の存在は、前記ノズルを介した前記内容物の流出、及び、環境から前記ノズル内への汚染物質の流入を阻止する。
【００１３】
前記耳は、前記継ぎ目と同じ方法で、たとえば積層させて一体に接合された前記ノズル部分の一以上の可撓性材料の層を備えることが適当である。
【００１４】
第1の実施形態では、前記耳は、前記ノズル部分の縁部から、好ましくは前記流れ方向に対して略垂直な方向に延出する。この実施形態では、前記耳は、前記スロット開口のより下流方向に位置することが適当であり、これにより、前記耳と前記スロット開口との間に位置する前記流れ方向を横断する、好ましくは前記流れ方向に垂直な、前記折り畳み線を基準に前記ノズル部分を折り畳むことができる。好ましくは、前記耳及びそれに対応する前記スロット開口は、前記折り畳み線の両側に配される。好ましくは、前記耳と前記スロットとの間で前記ノズル部分の材料に折り目を設けることができる。前記折り目は、この線で前記ノズル部分が折り畳まれるのを助けるように、前記ノズル部分を横切る横断方向に延びている。また、前記折り目は、ネック部分がこの折り目を基準に折り畳まれたときに、前記耳が前記スロット開口に隣接するように位置決めされる。前記ノズル部分が折り畳まれた構成にある場合、前記スロット開口に前記耳を受け入れ、前記ノズル部分を折り畳まれた構成で保持することができ、前記折り畳み部は、前記流出路の流れを狭窄する。
【００１５】
この第1の実施形態の特に好ましい形態では、二つの耳及び二つの対応するスロット開口が設けられ、好ましくはそれぞれ前述の特徴を有しており、それぞれの前記耳及び前記スロットは、前記ノズル部分から逆方向に延び、好ましくは前記流れ方向に沿う長手方向線を跨いで対称に互いに対向する。二つのそのような前記耳及び対応する前記スロット開口を設けることで、前記ノズル部分を折り畳まれた構成で保持することが容易になる。
【００１６】
本発明の第2の実施形態では、前記耳は、前記ノズル部分の縁部から流れ方向を横断する方向、好ましくは前記流れ方向に略垂直に延出し、該耳は、前記流れ方向に対して略平行な折り畳み線を基準に前記ノズル部分を横切って折り畳み可能であり、前記耳は、前記ネック部分を横切って、好ましくは前記ネック部分を全体にわたって横切って折り畳むことができるような長さであり、前記スロット開口は、前記流れ方向を横切って前記耳の反対側に位置することで、前記耳が折り畳まれた構成にあるとき、前記耳を前記スロット開口によって受け入れることができる。
【００１７】
この実施形態では、前記ノズル部分は、前記下流方向を横断する、好ましくは前記下流方向に垂直な折り畳み線を基準に折り畳むことができ、該折り畳み線は、前記耳及び前記スロット開口の下流に位置する。上記の第1の実施形態と同様に、好ましくは、前記ノズル部分の材料に折り目を設けることができ、それによって前記ノズル部分がこの折り目で折り畳まれるのを助ける。この第2の実施形態では、前記耳及び前記スロット開口は、前記折り畳み線の同じ側に位置する。前記ノズル部分が折り畳まれた状態で、前記耳は、前記ノズル部分の折り畳まれた部分の上に折り畳まれ、前記スロット開口に通され、それによって前記ネック部分を折り畳まれた構成で保持することができる。
【００１８】
前記スロット開口は、前記ノズル部分又は前記リザーバ部分の一部、たとえば前記リザーバ部分のうち前記ノズル部分に隣接している部分に配することができる。
【００１９】
前記スロット開口は細長く、前記耳の断面形状に概して対応する。好ましくは、前記スロットの細長い方向は、前記流れ方向に対して略平行に配される。好ましくは、前記流出路に最も近いそのような前記スロットの長い前記縁部は、前記ノズル部分の縁部のうち前記耳が延出する部分と同じ距離に位置し、又はそれより下流方向を横断する方向においてより遠くに位置する。そのような配置により、前記スロット開口によって前記耳を受け入れることが容易になる。
【００２０】
前記流れ方向における前記耳の寸法は、可能な限り完全に前記スロットによって前記耳を受け入れることができるような寸法とするべきである。たとえば、前記流れ方向において、前記耳の最も大きい寸法は、前記スロット開口の最も長い寸法以下とするべきである。しかし、前記流れ方向において、前記耳の寸法を前記スロット開口の最も長い寸法より大きくすることで、前記耳をスロット内に溶接することによって、又は前記スロット開口内の前記耳の拡張復元力が、前記耳を前記スロット開口の縁部に押し付けることによって、前記耳がよりしっかりと前記スロット開口内に嵌合するのを可能にすることができる。
【００２１】
好ましくは、前記耳は、前記流れ方向を横断する方向に延びる方向において先細りし、たとえば三角形又は一つ以上の湾曲した縁部を有する先細り形状である。先細り形状により、前記耳を前記スロット開口内へ挿入するのを容易にすることができる。
【００２２】
好ましくは、前記耳の少なくとも一つの縁部は、凹形の形状である。そのような凹形の形状の縁部は、前記スロット開口内に前記耳が受け入れられたときに前記スロット開口の縁部に係合することができ、前記耳を前記スロット内で保持するのを助けることができる。そのような凹形の形状は、たとえば、前記耳の縁部に、たとえば前記ノズル部分のうち前記耳が延出する部分に隣接して、凹形のノッチを含むことができる。一実施形態では、そのようなノッチは、前記耳の縁部に位置することができ、前記出口ノズルが折り畳まれていない状態で、前記出口オリフィスから離れる方を向く。
【００２３】
有利な一実施形態において、前記ノズル部分は、前記耳を越えて前記下流方向に十分に長くすることができる。この場合、前記ノズル部分は、第1の折り畳み線を基準に前記リザーバへ向けて折り畳み可能である。これにより、前記ノズル部分が折り畳まれた構成にあるときに前記流出路を狭窄する前述の折り畳み部を前記ノズル部分に形成する。また、前記ノズル部分は、第1の折り畳み部と出口オリフィスとの間に第2の折り畳み部を形成するように第2の折り畳み線を基準に折り畳み可能である。前記第2の折り畳み部は、前記第1の折り畳み部と前記出口オリフィスとの間で前記流出路をさらに狭窄することができる。好ましくは、前記ノズル部分は十分に長く、そのような前記第2の折り畳み部が設けられたときに、前記ノズル部分のうち前記第2の折り畳み部と前記出口オリフィスとの間の部分を、前記ノズル部分のうち前記第2の折り畳み部と前述の第1の折り畳み部との間の部分の下へ折り込むことができる。
【００２４】
したがって、本発明は、ネック部分が前記第1の折り畳み部でリザーバへ向けて折り畳まれた前記容器の閉じた構成において、前記ネック部分は、前記第1の折り畳み部と出前記口オリフィスとの間の前記第2の折り畳み部でも折り畳まれるような容器、たとえば小袋を提供する。前記容器の閉じた構成では、前記ネック部分のうち前記第2の折り畳み部と前記出口オリフィスとの間の部分は、前記ネック部分のうち前記第1の折り畳み部と前記第2の折り畳み部との間の部分の下へ折り込まれることが適当である。好ましくは、前記ネック部分のうち前記第2の折り畳み部と前記出口オリフィスとの間の部分の長さは、その部分を確実に下へ折り込むのに十分な長さである。たとえば、これを容易にするために、前記ネック部分のうち前記第2の折り畳み部と前記出口オリフィスとの間の部分の長さは、前記ノズル部分のうち前記第1の折り畳み部と前記第2の折り畳み部との間の部分の長さの50%以上、たとえば75%以上とすることができる。
【００２５】
好ましくは、そのような第1の折り畳み部及び第2の折り畳み部を設けやすくするために、この実施形態では、前記ノズル部分は、前記耳と前記スロットとの間の第1の折り目と、前記第1の折り目と前記出口オリフィスとの間の第2の折り目とを含む。好ましくは、前記第2の折り目は、前記耳と前記出口オリフィスとの間に位置する。上記の有利な折り込みを実現するには、好ましくは、これを容易にするために、前記ネック部分のうち前記第2の折り目と前記出口オリフィスとの間の部分の長さは、前記ノズル部分のうち前記第1の折り目と前記第2の折り目との間の部分の長さの50%以上、たとえば75%以上とすることができる。
【００２６】
この第2の折り畳み部の存在により、前記ノズル部分の前記出口オリフィスと前記小袋の内部との間にこの第2の折り畳み部を介在させることによって、前記ノズル部分の閉鎖を改善することができる。また、前記ノズル部分の前記出口オリフィスを前記ノズル部分の一部分の下へ折り込み、それによって前記ノズル部分を環境から分離することによって、再封止の衛生状態を改善することができる。
【００２７】
この最後の実施形態では、前記出口オリフィスを環境からさらに保護するために、前記ノズル部分の長さ及び前記耳の位置は、前記ノズル部分が折り込まれた位置にあり、前記耳が前記スロットによって受け入れられたときに、前記耳が前記ノズルの前記出口オリフィスに隣接するようなものとすることができる。そのような構成では、前記耳は、前記出口オリフィスをさらに覆う働きをし、これを容易にするのに好都合な寸法に作製することができる。
【００２８】
本発明の容器、たとえば小袋は、流動性の液体、ゲル、ペーストなどの形態のあらゆる種類の粘性の液体製品を収容及び分注するために使用することができる。そのような製品は、たとえば、練り歯磨き、クリーム、軟膏などの医療品、食料品、塗料又は染料、接着剤などとすることができる。
【００２９】
本発明について、添付の図面を参照しながら例示のみを目的として次に説明する。
【図面の簡単な説明】
【００３０】
【図１】最初の閉じた構成にある本発明の小袋の平面図である。
【図２】開いた構成にある図1の小袋の平面図である。
【図３】再封止された構成にある図1及び図2の小袋の平面図である。
【図４】最初の閉じた構成にある本発明の別の小袋の平面図である。
【図５】図4の小袋のノズル部分の側面図である。
【図６】図5の側面図に対する変形例を示す図である。
【図７】最初の閉じた構成にある本発明の小袋の別の実施形態の平面図である。
【発明を実施するための形態】
【００３１】
図1、図2、及び図3を参照すると、可撓性プラスチック-金属箔の積層材料から作製された再封止可能な小袋容器が、全体として10で示されている。小袋10は、流体内容物のためのリザーバ部分11を備えている。リザーバ部分11は、継ぎ目13によって囲まれた容積部12を画定することによって形成されている。継ぎ目13は、従来の方法で二つの積層材料シートを溶接により接合することで形成されている。小袋10はまた、小袋10と同じ可撓性材料から一体に製作された細長い管の形態で流れ方向に延びるノズル部分14を備える。ノズル部分14は、流体内容物のために継ぎ目16間に画定された内部の流出路15を有している。流体内容物は、内部の流出路15に沿ってリザーバ部分11から矢印で示す下流への流れ方向に流れることができる。また、ノズル部分14は、流出路15の下流端部に位置する出口オリフィス17を有している。
【００３２】
図1に見られるように、流出路15の出口オリフィス17は、リザーバ部分11の内容物の分注前には、従来の切り離し用の閉鎖部分18によって閉じられている。図2に見られるように、この閉鎖部分は、小袋10を開くために、事前に形成された切り離し線19で切り離されている。
【００３３】
小袋10のノズル部分14の両側に、ノズル部分14から流れ方向に対して横断方向に耳20A、20Bが延びる。各耳20A、20Bは、継ぎ目13、16と同じ方法で一体に積層された小袋10の一つ以上の可撓性材料の層を備える。このようにして、耳20A、20Bは、小袋10と一体に製作される。各耳20A、20Bの形状は、流れ方向を横断する方向に先細りしており、湾曲した下流縁部21を有する先細り形状である。出口ノズルが折り畳まれていない状態で、出口オリフィス17から最も遠い各耳20A、20Bの縁部は、ノズル部分14のうち耳20A、20Bが延出する部分に隣接して凹形のノッチ22を包含する。
【００３４】
小袋10において、出口オリフィス17からノズル部分14に沿って耳20A、20Bのより上流側に、スロット開口23A、23Bが位置する。各スロット開口23A、23Bは細長く、その細長い方向は、流れ方向に対して平行に配され、各スロット開口23A、23Bの形状は、耳20A、20Bの断面形状に概して対応する。
【００３５】
図3に見ることができるように、ノズル部分14は、その長さを横断する方向にノズル部分14の材料に設けられた折り目110において、流れ方向に対して垂直に配された折り畳み線F-Fを基準に、リザーバ部分11へ向けて折り畳み可能である。それによって、ノズル部分14は、図3に示すノズル部分14が折り畳まれた構成にあるときに、流出路15を狭窄する折り畳み部24をノズル部分14に形成する。この構成では、ノズル部分14は、コンパクトな配置で、小袋10上に平坦に折り畳まれる。
【００３６】
図3に見ることができるように、ノズル部分14が折り畳まれた構成にあるとき、各耳20A、20Bをそれぞれのスロット開口23A、23B内へ挿入することができる。耳20A、20Bの先細り形状は、耳20A、20Bをスロット開口内へ挿入するのを容易にする。流出路に最も近い各スロット23A、23Bの長い縁部は、下流方向を横断する方向において、ノズル部分14の縁部の耳20A、20Bが延出する部分と同じ距離に位置する。流れ方向において、耳20A、20Bの最も大きい寸法は、スロット開口23A、23Bの最も長い寸法より小さく、その結果、耳20A、20Bは、スロット23A、23B内へ可能な限り遠くまで嵌合することができる。凹形のノッチ22は、耳20A、20Bがスロット開口23A、23B内に受け入れられたときに、スロット開口23A、23Bの縁部と係合する。そのような構造上の特徴は、耳20A、20Bをスロット開口23A、23B内に保持するのを容易にする。
【００３７】
図4及び図5は、小袋10のさらなる実施形態を示している。この実施形態において、ノズル部分14は、耳20を越えて下流方向に十分に長く、耳20と出口オリフィス17との間に第2の折り目41が設けられる。図5に見られるように、ノズル部分14は、図1と同様に、図4に示す折り目110で折り畳んで、図3に示す第1の折り畳み部24を作ることができ、また折り目41で折り畳んで、ノズル部分14に第2の折り畳み部42を形成することができる。この第2の折り畳み部42は、耳20と出口オリフィス17との間で流出路15をさらに狭窄し、また図5に見られるように、ノズル部分14のうち第2の折り畳み部42と出口オリフィス17との間の部分43を、ノズル部分14のうち第2の折り畳み部42と第1の折り畳み部24との間の部分の下へ折り込むことができる。図5では、前記の部分43が、ノズル部分のうち第1の折り畳み部24と第2の折り畳み部42との間の部分とほぼ同じ長さであり、その結果、出口ノズル17がノズル部分のうち第1の折り畳み部24と第2の折り畳み部42の間の部分によって確実に覆われることが分かる。
【００３８】
図6は、図5に示す構成の変形例を示している。図6において、耳20の寸法及び位置は、次のようになっている。すなわち、耳20がスロット(図示せず)に受け入れられた状態で、ノズル部分14の部分43が、ノズル部分14のうち第1の折り畳み部24と第2の折り畳み部42との間の部分の下へ折り込まれ、耳20が出口オリフィス17に隣接する。これにより、耳20は、出口オリフィス17をさらに密閉するように働き、出口オリフィス17を環境からさらに保護する。
【００３９】
図7は、本発明の小袋を全体として50で示す別の実施形態を示す。図1〜4に対応する小袋の部分は、それに対応して番号が付けられている。図7に全体として示す小袋50で、耳51は、ノズル部分14の縁部から流れ方向に対して垂直な方向に延びる。耳51は、流れ方向に対して略平行な折り目52によって画定された折り畳み線を基準にノズル部分14を横切って折り畳み可能である。耳51は、ネック部分14全体を横切るように折り畳むことができるような長さである。流れ方向を横切って耳51の反対側にはスロット開口53が位置し、耳51が折り畳まれた構成にあるとき、スロット開口53によって耳51を受け入れることができるようになっている。耳51及びスロット開口53は、折り目52の同じ側に位置する。
【００４０】
図7の実施形態では、ノズル部分14は、流れ方向に対して垂直な折り畳み線F-Fを基準に図1〜6の実施形態と同様に折り畳むことができ、折り畳み線F-Fは、耳51及びスロット開口53から下流に位置することができる。ノズル部分14の材料に設けられた折り目52は、ノズル部分14がその位置で折り畳まれるようにする。ノズル部分14が小袋50上に折り畳まれた状態で、耳51は、ノズル部分14の折り畳まれた部分の上に折り畳まれ、スロット開口53に通され、それによってネック部分14を折り畳まれた構成に保持してもよい。
【００４１】
図7の実施形態では、流れ方向における耳51の最も大きい寸法は、スロット開口53の長さよりわずかに大きく、スロット開口53内の耳51の復元力がスロット開口内で耳51を保持するのを助けるようになっている。また、スロット開口53内で耳51を保持するのを助けるために、耳51の縁部にノッチ54が設けられる。
【００４２】
図4及び図5の実施形態と同様に、ノズル部分14は、第2の折り目(図7には図示せず)がノズル部分のうち耳51と出口オリフィス17との間の部分に位置するのを許容するように、十分に長くすることができる。
【図１】
2015516924.tif 000002
【図２】
2015516924.tif 000003
【図３】
2015516924.tif 000004
【図４】
2015516924.tif 000005
【図５】
2015516924.tif 000006
【図６】
2015516924.tif 000007
【図７】
2015516924.tif 000008
【国際調査報告】
2015516924.tif 000009
2015516924.tif 000010
2015516924.tif 000011